【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
長手方向軸線と、ブレーカプライ長さと、前記長手方向軸線に対してあらかじめ設定されたコード角度をなす互いに平行な複数のコードとを有するブレーカプライを製造する装置であって、
中心間距離とストリップ幅を有し、かつ実質的に互いに平行である、埋め込まれている複数の長手方向コードを有する、少なくとも１つの連続するゴムストリップを製造する押し出し装置（４，４’）と、
前記連続するゴムストリップを前記長手方向コードの方向に搬送する第１の搬送装置（８，８’）と、
前記ブレーカプライ用の支持表面を有し、前記ブレーカプライを、搬送方向かつ該ブレーカプライの長手方向に搬送する第２の搬送装置（９，９’）と、
前記連続するゴムストリップから複数のバンドを前記コード角度で斜めに切断する切断装置（７，７’）と、
回転軸を有し、前記第２の搬送装置から来る前記ブレーカプライを受け取る組立ドラム（１５，１５’）と
を有し、
前記第１の搬送装置（８，８’）は、前記連続するゴムストリップを前記第２の搬送装置まで搬送するようになっており、前記第２の搬送装置は、その搬送方向が前記長手方向コードの方向に対して、コード角度の大きさを有する角度（α）をなすように配置されており、前記ブレーカプライの前記長手方向は前記搬送方向に実質的に一致し、前記組立ドラムは、その回転軸が第２の搬送方向を実質的に横切るように配置されており、前記第２の搬送装置は、第１の駆動装置（１１，１１’）と、前記第１の駆動装置を制御する制御装置（１００）を有し、前記制御装置は、前記第２の搬送装置の前記支持表面を、次のバンドを配置するための設定可能な移送距離に、または前記ブレーカプライを前記組立ドラムに向けて搬送する搬送距離に合わせて移動させ得るように前記駆動装置を制御するようになっている、ブレーカプライを製造する装置において、
前記制御装置（１００）は、前記ストリップ幅、前記長手方向コード同士の間の前記中心間距離、および前記ブレーカプライ長さのためのメモリと、前記中心間距離、前記ストリップ幅、および前記ブレーカプライ長さから、前記ブレーカプライを形成するために必要なバンドの数であるバンド数と前記移送距離を計算する計算ユニットとを有することを特徴とする、ブレーカプライを製造する装置。
【請求項２】
前記移送距離は各ブレーカプライ長さごとにあらためて計算され、前記制御装置（１００）は、好ましくは、配置されているバンドの数を数えるカウンタと、配置されているバンドの数が前記バンド数に等しくなったとき、または前記ブレーカプライ長さが得られたときに、前記ブレーカプライを前記組立ドラム（１５，１５’）に搬送することを決定する決定ルーチンとを有する、請求項１に記載の装置。
【請求項３】
前記制御装置（１００）に接続され、前記ブレーカプライの製造中に前記第２の搬送装置の前記支持表面上の前記ブレーカプライの長さを測定する測定ユニット（１０１）をさらに有する、請求項１または２に記載の装置。
【請求項４】
前記制御装置（１００）は、前記ブレーカプライの製造中に測定された該ブレーカプライの長さと、設定された前記ブレーカプライ長さと、設定された前記長手方向コード同士の間の前記中心間距離とに基づいて、前記移送距離を調整するようになっている、請求項３に記載の装置。
【請求項５】
前記第１の搬送装置（８，８’）は、該第１の搬送装置から、前記連続するゴムストリップまたは前記複数のバンドを取り上げて、それを、またはそれらを前記第２の搬送装置（９，９’）の前記支持表面上に配置する配置装置をさらに有し、好ましくは、前記配置装置は、前記連続するゴムストリップを前記支持表面上に配置するために前記切断装置（７，７’）の後に配置されており、好ましくは、前記配置装置は、前記複数のバンドを１つに接合してブレーカプライにするスプライサを備えている、先行する請求項のいずれか１項に記載の装置。
【請求項６】
前記第２の搬送装置は、前記ブレーカプライを前記組立ドラムに当接するように配置するために該第２の搬送装置の前記支持表面を前記組立ドラムまで移送する移送装置（１１７）を有する、先行する請求項のいずれか１項に記載の装置。
【請求項７】
前記第２の搬送装置（９，９’）は第１のコンベヤ（１０，１０’）と第２のコンベヤ（１３，１３’）を有し、前記両コンベヤはそれらの搬送方向が１列になるように配置され、前記第１のコンベヤは、前記複数のバンドまたは前記連続するゴムストリップを受け取る支持表面と、前記制御装置（１００）に接続されている駆動装置とを有する、先行する請求項のいずれか１項に記載の装置。
【請求項８】
前記第２のコンベヤ（１３，１３’）は、前記ブレーカプライを支持する支持表面（２０）を有し、前記第２のコンベヤの前記支持表面は、前記第１のコンベヤの前記支持表面が前記第２のコンベヤの前記支持表面と１列になる第１の位置から、前記支持表面が前記組立ドラム（１５，１５’）に当接して位置する第２の位置へ移動可能である、請求項７に記載の装置。
【請求項９】
前記第２の搬送装置（１０）の前記搬送方向に対して実質的に平行な搬送方向を有する第３の搬送装置（１０’）と、前記連続するゴムストリップを前記第１の切断装置（７）に対して実質的に平行に切断する第２の切断装置（７’）をさらに有し、好ましくは、前記第２の切断装置（７’）は、前記第２と第３の搬送装置の間で切断を行うように配置されており、好ましくは、前記第３のコンベヤが、前記第２のコンベヤの前記支持表面に隣接し、かつそれと連続するように配置されているブレーカプライ用の支持表面を有する、先行する請求項のいずれか１項に記載の装置。
【請求項１０】
前記制御装置（１００）は、メモリと、データ処理ユニットと、前記長手方向コード同士の間の前記中心間距離とブレーカプライ長さを設定する入力ユニットと、設定された前記長手方向コード同士の間の前記中心間距離と前記ブレーカプライ長さを読み取るソフトウェアとを有する、先行する請求項のいずれか１項に記載の装置。
【請求項１１】
前記第１の搬送装置（８，８’）は、該第１の搬送装置から、前記連続するゴムストリップまたは前記複数のバンドを取り上げて、それを、またはそれらを前記第２の搬送装置（９，９’）の前記支持表面上に配置する配置装置をさらに有し、好ましくは、前記配置装置は、前記連続するゴムストリップを前記支持表面上に配置するために前記切断装置（７，７’）の後に配置されており、好ましくは、前記配置装置は、前記複数のバンドを１つに接合してブレーカプライにするスプライサを備えており、
前記ソフトウェアは、前記バンド幅と、前記長手方向コード同士の間の前記中心間距離と、前記設定されたブレーカプライ長さから、前記バンド同士の間の目標相互距離を計算する距離ルーチンを備えており、好ましくは、前記ソフトウェアは、部分的に形成されたブレーカプライを移送する前記配置装置を作動させる複数の制御ルーチンをさらに備えており、前記移送は、前記バンド同士の間の相互距離を計算する前記距離ルーチンによって計算される、請求項１０に記載の装置。
【請求項１２】
長手方向軸線と、ブレーカプライ長さと、前記長手方向軸線に対してあらかじめ設定されたコード角度をなす互いに平行な複数のコードとを有するブレーカプライを製造する方法であって、
実質的に平行な複数の長手方向コードと、設定されたストリップ幅と、前記長手方向コードのうちの１つから他のものに対する、該コード同士の間の設定された中心間距離とを有する連続するゴムストリップが、押し出し工程によって前記長手方向に製造され、前記連続するゴムストリップは前記コード角度で切断されて複数のバンドにされ、あらかじめ設定された前記ブレーカプライ長さを有するブレーカプライを形成する、互いに対して実質的に平行であり、かつ設定されたバンド距離で互いに隣接する前記複数のコードを有する所定数のバンドが支持表面上に配置され、前記複数のバンドの相互距離は、前記ブレーカプライの設定された長さを得るように計算され、前記ブレーカプライが目標ブレーカプライ長さに到達したときに、該ブレーカプライは前記長手方向に組立ドラムまで搬送され、前記組立ドラムに巻かれ、前記コード同士の所定の相互の中心間距離と前記連続するゴムストリップの幅が設定され、前記ブレーカプライ長さは製造中に測定され、あらかじめ設定された前記ブレーカプライ長さを得るために前記複数のバンドの前記相互距離が毎回調整され、前記複数のバンドの前記相互距離は最大でも前記コードの前記中心間距離まで、好ましくは、最大でも前記中心間距離の２０％までに調整される、ブレーカプライを製造する方法。
【請求項１３】
前記中心間距離と前記目標ブレーカプライ長さは、制御ソフトウェアを備えているコンピュータに入力され、前記制御ソフトウェアは前記バンド同士の間の距離を計算し、好ましくは、前記制御ソフトウェアは、前記ブレーカプライの既に形成された部分の移送を調整する、請求項１２に記載の方法。
【手続補正２】
【補正対象書類名】明細書
【補正対象項目名】００１１
【補正方法】変更
【補正の内容】
【００１１】
この目的のために、本発明は、長手方向軸線と、ブレーカプライ長さと、長手方向軸線に対してあらかじめ設定されたコード角度をなす互いに平行な複数のコードとを有するブレーカプライを製造する装置であって、
中心間距離とストリップ幅を有し、かつ実質的に互いに平行である、埋め込まれている複数の長手方向コードを有する、少なくとも１つの連続するゴムストリップを製造する押し出し装置と、
連続するゴムストリップを長手方向コードの方向に搬送（transport）する第１の搬送装置（first transport device）と、
ブレーカプライ用の支持表面を有し、ブレーカプライを、搬送方向かつブレーカプライの長手方向に搬送する第２の搬送装置（second transport device）と、
連続するゴムストリップから複数のバンドを前記コード角度で斜めに切断する切断装置と、
回転軸を有し、第２の搬送装置から来るブレーカプライを受け取る組立ドラムと
を有し、
第１の搬送装置は、連続するゴムストリップを第２の搬送装置まで搬送するようになっており、第２の搬送装置は、その搬送方向が長手方向コードの方向に対して、コード角度の大きさを有する角度をなすように配置されており、ブレーカプライの長手方向は搬送方向に実質的に一致し、組立ドラムは、その回転軸が第２の搬送方向を実質的に横切るように配置されており、第２の搬送装置は、第１の駆動装置と、第１の駆動装置を制御する制御装置を有し、制御装置は、第２の搬送装置の支持表面を、次のバンドを配置するための設定可能な移送距離に、またはブレーカプライを組立ドラムに向けて搬送する搬送距離に合わせて移動させ得るように駆動装置を制御するようになっている、ブレーカプライを製造する装置において、
制御装置は、ストリップ幅、長手方向コード同士の間の中心間距離、およびブレーカプライ長さのためのメモリと、中心間距離、ストリップ幅、およびブレーカプライ長さから、ブレーカプライを形成するために必要なバンドの数であるバンド数と移送距離を計算する計算ユニットとを有することを特徴とする、ブレーカプライを製造する装置を提供する。
【手続補正３】
【補正対象書類名】明細書
【補正対象項目名】００１２
【補正方法】変更
【補正の内容】
【００１２】
本発明はさらに、長手方向軸線と、ブレーカプライ長さと、長手方向軸線に対してあらかじめ設定されたコード角度をなす互いに平行な複数のコードとを有するブレーカプライを製造する方法であって、
実質的に平行な複数の長手方向コードと、設定されたストリップ幅と、長手方向コードのうちの１つから他のものに対する、長手方向コード同士の間の設定された中心間距離とを有する連続するゴムストリップが、押し出し工程によって長手方向に製造され、連続するゴムストリップはコード角度で切断されて複数のバンドにされ、あらかじめ設定されたブレーカプライ長さを有するブレーカプライを形成する、互いに対して実質的に平行であり、かつ設定されたバンド距離で互いに隣接する複数のコードを有する所定数のバンドが支持表面上に配置され、複数のバンドの相互距離が、ブレーカプライの設定された長さを得るように計算され、ブレーカプライが目標ブレーカプライ長さに到達したときに、ブレーカプライは長手方向に組立ドラムまで搬送され、組立ドラムに巻かれ、コード同士の所定の相互の中心間距離と連続するバンドの幅が設定され、ブレーカプライ長さは製造中に測定され、あらかじめ設定されているブレーカプライ長さを得るために複数のバンドの相互距離が毎回調整され、複数のバンドの相互距離は最大でもコードの中心間距離まで、好ましくは、最大でも中心間距離の２０％までに調整される、ブレーカプライを製造する方法を提供する。
【手続補正４】
【補正対象書類名】明細書
【補正対象項目名】００１５
【補正方法】変更
【補正の内容】
【００１５】
前記したとおり、第２の搬送装置は、第１の駆動装置と、第１の駆動装置を制御する制御装置を有し、制御装置は、第２の搬送装置の支持表面を、次のバンドを配置するための設定可能な移送距離（transfer distance）に、またはブレーカプライを組立ドラムに向けて搬送する搬送距離（transport distance）に合わせて移動させ得るように駆動装置を制御するようになっている。したがって、連続するゴムストリップから切断された複数のバンドを、第２の移送装置の支持表面上に、互いから、相互に調整可能な距離の位置に配置することができる。制御装置は、ストリップ幅およびブレーカプライ長さと長手方向コード同士の間の中心間距離のためのメモリと、中心間距離、ストリップ幅、およびブレーカプライ長さから、ブレーカプライを形成するために必要なバンドの数であるバンド数と移送距離を計算する計算ユニットとを有する。その結果、製造中のブレーカプライを非常に正確に移送（transfer）することができ、新しいバンドを、製造中のブレーカプライ内に再現性の高い方法で毎回配置することができる。製造中のブレーカプライとバンドの間の距離が正確に設定されるため、考えられる修正を実施することができる。
【手続補正５】
【補正対象書類名】明細書
【補正対象項目名】００１６
【補正方法】変更
【補正の内容】
【００１６】
本発明の一実施態様では、制御装置は、配置されているバンドの数を数えるカウンタと、配置されているバンドの数が前記バンド数に等しくなったとき、またはブレーカプライの長さに到達したときに、ブレーカプライを組立ドラムに搬送することを決定する決定ルーチンとを有する。
【手続補正６】
【補正対象書類名】明細書
【補正対象項目名】００１７
【補正方法】変更
【補正の内容】
【００１７】
本発明の一実施態様では、制御装置に接続され、ブレーカプライの製造中に第２の搬送装置の支持表面上のブレーカプライの長さを測定する測定ユニットをさらに有する。前記した測定ユニットは、非接触で測定できるのが好ましい。測定ユニットは、製造工程を調査し、望まれるならばそれを制御／調整するために、バンドが追加されるたびに記録を行うＣＣＤカメラであることが好ましい。測定ユニットは、ライン走査カメラであってもよい。本発明の一実施態様では、測定ユニットは制御装置に接続され、制御装置は、製造中に測定された長さと、設定されたブレーカプライ長さと、長手方向コード同士の間の中心間距離とに基づいて、移送距離を設定するようになっている。進路の逸脱を早い段階に確かめて、できる限り矯正さえ行えるように、バンドが配置されるたびに製造中のブレーカプライの形状を測定することが好ましい。
【手続補正７】
【補正対象書類名】明細書
【補正対象項目名】００２２
【補正方法】変更
【補正の内容】
【００２２】
本発明の一実施態様では、配置装置は連続するゴムストリップまたはバンドを支持表面上に配置するために切断装置の後に配置されている。
【手続補正８】
【補正対象書類名】明細書
【補正対象項目名】００２６
【補正方法】変更
【補正の内容】
【００２６】
本発明による装置のさらに他の実施態様では、第２の搬送装置は第１のコンベヤと第２のコンベヤを有し、両コンベヤはそれらの搬送方向が１列になるように配置され、第１のコンベヤは、複数のバンドまたは連続するゴムストリップを受け取る支持表面と、制御装置に接続された駆動装置とを有する。
【手続補正９】
【補正対象書類名】明細書
【補正対象項目名】００３６
【補正方法】変更
【補正の内容】
【００３６】
本発明による装置のさらなる実施態様では、制御装置は、メモリと、データ処理ユニットと、設定された長手方向コード同士の間の中心間距離とブレーカプライ長さを読み取るソフトウェアとを有する。
本発明の一実施態様では、ソフトウェアは、バンド幅と、長手方向コード同士の間の中心間距離と、ブレーカプライの目標長さから、バンド同士の間の目標相互距離を計算する距離ルーチンを備えている。
【手続補正１０】
【補正対象書類名】明細書
【補正対象項目名】００３９
【補正方法】変更
【補正の内容】
【００３９】
この方法の他の実施態様は、中心間距離と目標ブレーカプライ長さは、バンド同士の間に必要な場合がある距離を計算する制御ソフトウェアを備えているコンピュータに入力される。
【手続補正１１】
【補正対象書類名】明細書
【補正対象項目名】００４０
【補正方法】変更
【補正の内容】
【００４０】
本発明の一実施態様では、制御ソフトウェアはブレーカプライの既に形成された部分の移送を調整する。
【手続補正１２】
【補正対象書類名】明細書
【補正対象項目名】００５１
【補正方法】変更
【補正の内容】
【００５１】
一実施態様では、この装置は、第２の搬送装置の駆動装置および第３の搬送装置の駆動装置と、切断装置と、互いに同時に共働する組立ドラムとに接続されている制御装置をさらに備えている。
【手続補正１３】
【補正対象書類名】明細書
【補正対象項目名】００６２
【補正方法】変更
【補正の内容】
【００６２】
図１には、一実施形態ではオペレーションシステムとアプリケーションソフトウェアを備えたコンピュータユニットである作動ユニット（制御装置）１００がさらに示されている。作動ユニット１００は、切断装置７および７’と、一実施形態では製造されている時と完成した時にブレーカプライの画像を記録するカメラである測定装置１０１および１０１’と、駆動装置１１および１１’と、駆動装置１４および１４’と、組立ドラムを作動させる組立ドラムユニットに接続されている。
【手続補正１４】
【補正対象書類名】明細書
【補正対象項目名】００６７
【補正方法】変更
【補正の内容】
【００６７】
ブレーカプライの適切な移送と取り上げのために、コンベヤベルト１３は、その端部に、ブレーカプライを保持する保持ユニット、特に、永久磁石または電磁石、あるいは真空状態を確保する装置による保持ユニットを備えている。ブレーカプライは、コンベヤ１０の上側２０に供給されて組み立てられ、そしてコンベヤ１３の下側２１に移送される。